(57)【要約】【課題】  室内に設置しても蒸発した循環液の臭いがしにくい温水熱交換器内蔵暖房機を提供する。【解決手段】  シスタ−ンタンク７の上部に設けたエア抜き孔２５と、ビード状の上ビート部２３と下ビート部２４とが形成され、該上ビート部２３と下ビート部２４との間にエア抜き孔２５が位置するようにエアー抜きガイド２０を設けたので、通常時は自重によりエアー抜きガイド２０が下降して、上ビート部２３の下部周辺がエア抜き孔２５の上部周辺と接してエア抜き孔２５が閉塞され、エアー抜きガイド２０が上に押し上げられた時は、エアー抜きガイド２０とエア抜き孔２５との間の隙間が完全に確保されて、その隙間からシスターンタンク７内の蒸発した循環液や空気を大気に少しずつ放出することができるものである。【選択図】  図４
2013124796.tif 000002
【特許請求の範囲】
【請求項１】
バ−ナ部と、このバ−ナ部によって加熱される温水熱交換器と、この温水熱交換器に接続される放熱器と、上記温水熱交換器と放熱器との間に接続されるシスタ−ンタンクと、該シスタ−ンタンク内の循環液を循環させる循環ポンプとを備えた温水熱交換器内蔵暖房機に於いて、前記シスタ−ンタンクの上部にエア抜き孔を設けると共に、該エア抜き孔を開閉するエアー抜きガイドを設け、前記エアー抜きガイドにはビード状の上ビート部と下ビート部とが形成され、該上ビート部と下ビート部との間にエア抜き孔が位置するように設けたことを特徴とする温水熱交換器内蔵暖房機。
【請求項２】
前記エアー抜きガイドは合成樹脂製で、円板状の鍔部棒状の挿入部とからなり、前記挿入部には上ビート部と下ビート部が形成され、エア抜き孔の直径に対して挿入部の直径は小さく、上ビート部と下ビート部の直径は大きく設けたことを特徴とする請求項１記載の温水熱交換器内蔵暖房機。
【発明の詳細な説明】
【技術分野】
【０００１】
この発明は、輻射及び対流によるストーブ単独運転と、温水による床暖房運転との併用運転とが行える温水熱交換器内蔵暖房機に関するものである。
【背景技術】
【０００２】
従来からこの種のものに於いては、熱交パイプを燃焼ガスが通過するストーブ単独運転と、熱交パイプを通過せずにバイパス通路を燃焼ガスが通る床暖房運転とをダンパー等で切り替えて行うもので、床暖房運転は暖房機本体内に設けられたシスターンタンクに一旦貯留した循環液を循環ポンプにより熱交換器に送り、温水熱交換器で加熱された循環液を簡易床暖房装置等に供給して行うものであった。
【０００３】
前記シスターンタンクは耐熱性合成樹脂から成り、上部には外方に突出し循環液の補給用及び圧力逃がし用とした注水口が設けられ、この注水口は漏斗状に拡開され段部を有すると共に、該注水口を着脱自在の蓋体で覆い、前記段部と蓋体との間に圧力逃がし経路を形成して常時シスターンタンク内の空気が大気に開放されている状態となっているものである。（例えば、特許文献１参照。）
【０００４】
この従来のものでは、温水熱交換器で加熱された循環液がシスターンタンク内で蒸発し、圧力逃がし経路を介してシスターンタンク外へ放出されるが、シスターンタンクが居間などに設置される温水熱交換器内蔵暖房機に内蔵されているため、シスターンタンクから放出された蒸発した循環液が居間に広がって、循環液の臭いがするという問題となる。
【０００５】
そこで、圧力逃がし経路をシスターンタンク内に循環液を補充する際、シスターンタンク内の空気が大気に放出される程度の細い圧力逃がし経路に形成して、蒸発した循環液がシスターンタンク外へ放出されにくい構造となっていた。
【先行技術文献】
【特許文献】
【０００６】
【特許文献１】特開２００５−２６５３３４号公報
【発明の概要】
【発明が解決しようとする課題】
【０００７】
ところでこの従来のものでは、循環液が蒸発する際にその成分の一部が結晶化し、その結晶化した循環液が細い圧力逃がし経路に固着して蓄積するため、圧力逃がし経路を閉塞してしまい、シスターンタンク内で蒸発した循環液がシスターンタンク外へ放出されずにタンク内の圧力が上昇したり、また注水口を圧力逃がし経路と別に設けたシスターンタンクでは、減った循環液を補充しようと注水口に循環液を注いでもタンク内の空気がタンク外へ放出されないので、シスターンタンクに循環液を補充できないという問題があった。
【課題を解決するための手段】
【０００８】
上記課題を解決するために、本発明の請求項１では、バ−ナ部と、このバ−ナ部によって加熱される温水熱交換器と、この温水熱交換器に接続される放熱器と、上記温水熱交換器と放熱器との間に接続されるシスタ−ンタンクと、該シスタ−ンタンク内の循環液を循環させる循環ポンプとを備えた温水熱交換器内蔵暖房機に於いて、前記シスタ−ンタンクの上部にエア抜き孔を設けると共に、該エア抜き孔を開閉するエアー抜きガイドを設け、前記エアー抜きガイドにはビード状の上ビート部と下ビート部とが形成され、該上ビート部と下ビート部との間にエア抜き孔が位置するように設けたものである。
【０００９】
また、請求項２では、前記エアー抜きガイドは合成樹脂製で、円板状の鍔部棒状の挿入部２２とからなり、前記挿入部には上ビート部２３と下ビート部が形成され、エア抜き孔の直径に対して挿入部の直径は小さく、上ビート部と下ビート部の直径は大きく設けたものである。
【発明の効果】
【００１０】
この発明の請求項１によれば、シスタ−ンタンクの上部にエア抜き孔を設けると共に、該エア抜き孔を開閉するエアー抜きガイドを設け、前記エアー抜きガイドにはビード状の上ビート部と下ビート部とが形成され、該上ビート部と下ビート部との間にエア抜き孔が位置するように設けたので、通常時はエアー抜きガイドの自重によりエアー抜きガイドが下降して、上ビート部の下部周辺がエア抜き孔の上部周辺と接してエア抜き孔が閉塞され、エアー抜きガイドがシスターンタンク内の上昇した圧力又は使用者の手により上に押し上げられた時は、エアー抜きガイドとエア抜き孔との間の隙間が完全に確保されて、その隙間からシスターンタンク内で蒸発した循環液やシスターンタンク内の空気を大気に少しずつ放出することができるものである。
【００１１】
また、請求項２によれば、前記エアー抜きガイドは合成樹脂製で、円板状の鍔部棒状の挿入部２２とからなり、前記挿入部には上ビート部２３と下ビート部が形成され、エア抜き孔の直径に対して挿入部の直径は小さく、上ビート部と下ビート部の直径は大きく設けたので、エアー抜きガイドが上に押し上げられた時、エア抜き孔の周辺に蓄積した結晶化した循環液が削り落とされ、それによりエアー抜きガイドとエア抜き孔との間の隙間を完全に確保することができ、またエアー抜きガイドが上に押し上げられた時は、いくら押し上げられても下ビート部の上部周辺がエア抜き孔の下部周辺と接することで、エアー抜きガイドがシスターンタンクから外れるのを防止することができるものである。
【図面の簡単な説明】
【００１２】
【図１】この発明の一実施形態の温水熱交換器内蔵暖房機の概略図。
【図２】同前パネル及びガードを外した温水熱交換器内蔵暖房機の概略図。
【図３】同通常時のシスターンタンクの一部断面図。
【図４】同エア抜き孔の開放時のシスターンタンクの一部断面図。
【発明を実施するための形態】
【００１３】
次に、本発明の温水熱交換器内蔵暖房機の一実施形態を図面に基づき説明する。
１はポット式等のバーナ部で、燃焼ファン（図示せず）からの燃焼空気の供給及び、燃料供給手段（図示せず）による燃料の供給を受けて、燃焼して燃焼ガスを発生するものである。
【００１４】
２はバーナ部１上に位置し、該バーナ部１と連通した耐熱透明体から成る燃焼筒で、上方には筒状の赤熱体３が垂下して備えられ燃焼ガスで加熱されて赤熱する。
４は燃焼筒２の後方を反射板５で囲んで形成した輻射室で、赤熱体３の赤熱状態を室内に反射させてストーブとして輻射暖房を行うものである。
【００１５】
６は温水補給用で大気開放しているシスターンタンク７を介して温水熱交換器（図示せず）と連通した循環ポンプで、温水熱交換器で高温に加熱された循環液を床暖房用の放熱器（図示せず）に循環させ、放熱させた後の低温の循環液を再び温水熱交換器に循環させて再加熱して、順次循環させ温水暖房とストーブ暖房とを併用して行うものである。
【００１６】
８は温水熱交換器とシスタ−ンタンク７とを連通する熱交出口管で、シスタ−ンタンク７の上部に設けられた熱交出口ホース９に接続され、前記熱交出口ホース９はシスタ−ンタンク７の上を貫通して循環液の水面１０の上方に開放されているものである。
前記熱交出口管８と熱交出口ホース９との接続部分には０．５ｍｍの隙間１１が形成されており、シスタ−ンタンク７内と大気が通気状態となっているものである。
１２は循環液注入口で、一端がシスタ−ンタンク７の上部に連通し、他端には開閉自在な蓋部１３を設けた注入部１４が設けられているものである。
【００１７】
１５は温水配管内の空気を抜くエア抜きバルブで、一方には温水配管に接続されている接続管１６が取り付けられ、他方はシスタ−ンタンク７の上部に設けられ、シスタ−ンタンク７の上を貫通して循環液の水面１０の上方に開放されているエア抜きバルブ接続部１７に接続されており、前記エア抜きバルブ１５とエア抜きバルブ接続部１７との接続部分には０．５ｍｍの隙間１８が形成されており、シスタ−ンタンク７内と大気が通気状態となっているものである。
【００１８】
１９は温水往き管で、一端がシスタ−ンタンク７の底部に連通され、他端が循環ポンプ６に接続されており、シスタ−ンタンク７内の循環液を循環ポンプ６に流すものである。
【００１９】
２０は合成樹脂製で断面略Ｔ字状のエアー抜きガイドで、円板状の鍔部２１と略棒状の挿入部２２とからなり、前記挿入部２２には上ビート部２３と下ビート部２４が形成され、シスタ−ンタンク７の上部に形成されたエア抜き孔２５に圧入されて、上ビート部２３と下ビート部２４との間にエア抜き孔２５が位置するようにシスタ−ンタンクに取り付けられているもので、エア抜き孔２５の直径に対して挿入部２２の直径は小さく、上ビート部２３と下ビート部２４の直径は大きく設けられており、本実施例ではエア抜き孔２５の直径が８．５ｍｍ、挿入部２２の直径が８ｍｍ、上ビート部２３と下ビート部２４の直径が９ｍｍとなっているものである。
【００２０】
次にエアー抜きガイド２０の動作について説明する。
図３は通常時のエアー抜きガイド２０の状態で、温水熱交換器で高温に加熱されシスターンタンク７内に流入した循環液で蒸発した循環液は、熱交出口管８と熱交出口ホース９との接続部分の隙間１１及びエア抜きバルブ１５とエア抜きバルブ接続部１７との接続部分の隙間１８を通って、シスターンタンク７内から大気に少しずつ放出され、エアー抜きガイド２０は自重により上ビート部２３の下部周辺がエア抜き孔２５の上部周辺と接して、エア抜き孔２５が閉塞されているもので、循環液注入口１２から循環液をシスターンタンク７内に補充する場合も、注入部１４に循環液を注入すると、隙間１１及び隙間１８からシスターンタンク７内の空気が大気に少しずつ放出されることで、循環液注入口１２からシスターンタンク７内に循環液を補充できるものである。
【００２１】
また図４はエアー抜きガイド２０からシスターンタンク７内の蒸発した循環液やシスターンタンク７内の空気を大気に放出する状態で、温水熱交換器で高温に加熱されシスターンタンク７内に流入した循環液の一部がシスターンタンク７内で蒸発し、その蒸発した循環液の成分の一部が結晶化して熱交出口管８と熱交出口ホース９との接続部分の隙間１１及びエア抜きバルブ１５とエア抜きバルブ接続部１７との接続部分の隙間１８に固着して蓄積したために、隙間１１及び隙間１８からシスターンタンク７内の蒸発した循環液やシスターンタンク７内の空気が大気に放出されないような時、蒸発した循環液が大気に放出されないことによりシスターンタンク７内の圧力が上昇してエアー抜きガイド２０を押し上げたり、循環液注入口１２から循環液をシスターンタンク７内に補充するために使用者がエアー抜きガイド２０を持ち上げる。
【００２２】
それにより、エア抜き孔２５と上ビート部２３と下ビート部２４との間に蓄積した結晶化した循環液がエア抜き孔２５の周辺と接触して削り落とされ、それによりエア抜き孔２５と上ビート部２３と下ビート部２４との間の隙間が完全に確保されて、その隙間からシスターンタンク７内で蒸発した循環液やシスターンタンク７内の空気が大気に少しずつ放出される。
【００２３】
蒸発した循環液が大気に放出されないことによりシスターンタンク７内の圧力が上昇してエアー抜きガイド２０を押し上げた場合は、蒸発した循環液が大気に放出されてシスターンタンク７内の圧力が低下すると、エアー抜きガイド２０の自重によりエアー抜きガイド２０が下降して、上ビート部２３の下部周辺がエア抜き孔２５の上部周辺と接してエア抜き孔２５が閉塞され、循環液注入口１２から循環液をシスターンタンク７内に補充するために使用者がエアー抜きガイド２０を持ち上げた場合は、循環液注入口１２から循環液をシスターンタンク７内に補充するのが終了してシスターンタンク７内の空気が大気に放出されないようになると、エアー抜きガイド２０の自重によりエアー抜きガイド２０が下降して、上ビート部２３の下部周辺がエア抜き孔２５の上部周辺と接してエア抜き孔２５が閉塞されるものである。
【００２４】
このようにシスターンタンク７内と大気とを連通している隙間１１及び隙間１８が結晶化した循環液により閉塞されて、シスターンタンク７内の蒸発した循環液やシスターンタンク７内の空気が大気に放出できなくなった時、エアー抜きガイド２０がシスターンタンク７内の上昇した圧力又は使用者の手により上に押し上げられることにより、エア抜き孔２５の周辺に蓄積した結晶化した循環液がエア抜きガイド２０が押し上げられる時に削り落とされ、それによりエアー抜きガイド２０とエア抜き孔２５との間の隙間が完全に確保されて、その隙間からシスターンタンク７内で蒸発した循環液やシスターンタンク７内の空気が大気に少しずつ放出することができるものである。
【００２５】
また、エアー抜きガイド２０はその挿入部２２に形成された上ビート部２３と下ビート部２４との間にエア抜き孔２５が位置するようにシスタ−ンタンクに取り付けられているので、通常時は上ビート部２３の下部周辺がエア抜き孔２５の上部周辺と接してエア抜き孔２５が閉塞され、またエアー抜きガイド２０がシスターンタンク７内の上昇した圧力又は使用者の手により上に押し上げられた時は、いくら押し上げられても下ビート部２４の上部周辺がエア抜き孔２５の下部周辺と接することで、エアー抜きガイド２０がシスターンタンク７から外れるのを防止することができるものである。
【００２６】
また、蒸発した循環液が大気に放出されてシスターンタンク７内の圧力が低下したり、循環液のシスターンタンク７内に補充するのが終了してシスターンタンク７内の空気が大気に放出されないようになると、エアー抜きガイド２０の自重によりエアー抜きガイド２０が自然に下降して、上ビート部２３の下部周辺がエア抜き孔２５の上部周辺と接して、エア抜き孔２５を確実に閉塞することができるものである。
【００２７】
特に本実施例のように居間など常時人がいるような場所に設置される機器内にシスターンタンク７が内蔵されている場合、蒸発した循環液が居間の空間に一気に放出されることで蒸発した循環液の臭いがすることを防止しつつ、シスターンタンク７内で蒸発した循環液が大気に放出されなかったり循環液をシスターンタンク７に補充する際、エア抜き孔２５の周辺に蓄積した結晶化した循環液を削り落として隙間を完全に確保し、それによりシスターンタンク７内蒸発した循環液や空気を大気に少しずつ確実に放出することができるものである。
【符号の説明】
【００２８】
１  バ−ナ部
６  循環ポンプ
７  シスタ−ンタンク
２０  エアー抜きガイド
２３  上ビート部
２４  下ビート部
２５  エア抜き孔
【図１】
2013124796.tif 000003
【図２】
2013124796.tif 000004
【図３】
2013124796.tif 000005
【図４】
2013124796.tif 000006